(57)【要約】【課題】特性が異なる複数の表示装置間に画質の差が生じ得ることを把握できるようにする。【解決手段】第１表示装置１０は、表示用画像を取得する画像取得部１１１と、表示用画像に基づく表示画像を表示する第１表示装置１０の第１表示特性に基づいて、表示用画像が第１表示装置１０に表示された第１表示画像の第１画像特性を特定し、第１表示装置１０と異なる第２表示装置２０の第２表示特性に基づいて、表示用画像が第２表示装置２０に表示された第２表示画像の第２画像特性を特定する特定部１１４と、第１画像特性と第２画像特性との差に基づく通知情報を出力する情報出力部１１５と、を有する。【選択図】図２
2018059999.tif 000002
【特許請求の範囲】
【請求項１】
表示用画像を取得する画像取得手段と、
前記表示用画像に基づく表示画像を表示する第１表示装置の第１表示特性に基づいて、前記表示用画像が前記第１表示装置に表示された第１表示画像の第１画像特性を特定し、前記第１表示装置と異なる第２表示装置の第２表示特性に基づいて、前記表示用画像が前記第２表示装置に表示された第２表示画像の第２画像特性を特定する特定手段と、
前記第１画像特性と前記第２画像特性との差に基づく通知情報を出力する情報出力手段と、
を有することを特徴とする電子機器。
【請求項２】
画像に含まれる画素の輝度と、知覚可能な隣接する画素間の輝度変化率と、の関係を示す視覚特性を取得する視覚特性取得手段をさらに有し、
前記特定手段は、前記第１表示画像の隣接する画素間の輝度変化率と、前記視覚特性が示す知覚可能な輝度変化率との関係を示す前記第１画像特性、及び前記第２表示画像の隣接する画素間の輝度変化量と、前記視覚特性が示す知覚可能な輝度変化率との関係を示す前記第２画像特性を特定し、
前記情報出力手段は、前記第１画像特性と前記第２画像特性との差に基づく前記通知情報を出力することを特徴とする、
請求項１に記載の電子機器。
【請求項３】
前記特定手段は、前記第１表示画像及び前記第２表示画像に含まれる一つの画素に隣接する複数の画素に対応する複数の前記第１画像特性と複数の前記第２画像特性との複数の差を特定し、
前記情報出力手段は、前記複数の第１画像特性と前記複数の第２画像特性との複数の差に基づく前記通知情報を出力することを特徴とする、
請求項２に記載の電子機器。
【請求項４】
前記情報出力手段は、前記第１表示画像に含まれる複数の画素の少なくともいずれかの画素における前記第１画像特性と、前記第２表示画像に含まれる複数の画素の少なくともいずれかの画素における前記第２画像特性と、の差が所定の閾値以上である場合に前記通知情報を出力することを特徴とする、
請求項１から３のいずれか一項に記載の電子機器。
【請求項５】
前記特定手段は、前記表示用画像の輝度値と前記第１表示特性とに基づいて、前記表示用画像が前記第１表示装置に表示された場合の輝度値を特定し、前記表示用画像の輝度値と前記第２表示特性とに基づいて、前記表示用画像が前記第２表示装置に表示された場合の輝度値を特定することを特徴とする、
請求項１から４のいずれか一項に記載の電子機器。
【請求項６】
前記特定手段は、前記表示用画像の輝度値と前記第１表示特性としての第１ガンマ特性とに基づいて、前記表示用画像が前記第１表示装置に表示された場合の輝度値を特定し、前記表示用画像の輝度値と前記第２表示特性としての第２ガンマ特性に基づいて、前記表示用画像が前記第２表示装置に表示された場合の輝度値を特定することを特徴とする、
請求項５に記載の電子機器。
【請求項７】
前記特定手段は、前記表示用画像の輝度値と前記第１表示特性としての第１最大輝度とに基づいて、前記表示用画像が前記第１表示装置に表示された場合の輝度値を特定し、前記表示用画像の輝度値と前記第２表示特性としての第２最大輝度に基づいて、前記表示用画像が前記第２表示装置に表示された場合の輝度値を特定することを特徴とする、
請求項５又は６に記載の電子機器。
【請求項８】
前記情報出力手段は、前記第１表示画像の少なくとも一つの画素における隣接画素との間での輝度差と、前記第２表示画像の対応する画素における隣接画素との間での輝度差との差分値が所定の閾値以上である場合に、前記通知情報を出力することを特徴とする、
請求項１から７のいずれか一項に記載の電子機器。
【請求項９】
前記情報出力手段は、前記第１表示画像の少なくとも一つの画素における隣接画素との間での輝度変化率と、前記第２表示画像の対応する画素における隣接画素との間での輝度変化率との差分値が所定の閾値以上である場合に、前記通知情報を出力することを特徴とする、
請求項１から７のいずれか一項に記載の電子機器。
【請求項１０】
前記第２表示装置を視認するユーザと前記第２表示装置との距離を取得する距離取得手段をさらに有し、
前記特定手段は、前記第２表示特性、及び画像に含まれる画素の輝度と前記距離取得手段が取得した前記距離において知覚可能な隣接する画素間の輝度変化率との関係を示す視覚特性に基づいて前記第２画像特性を特定することを特徴とする、
請求項１から９のいずれか一項に記載の電子機器。
【請求項１１】
前記情報出力手段は、前記表示用画像に前記通知情報を重畳した画像を前記第１表示装置及び前記第２表示装置の少なくともいずれかに表示させることを特徴とする、
請求項１から１０のいずれか一項に記載の電子機器。
【請求項１２】
前記表示用画像とともに送信された情報に含まれる前記第２表示特性を取得する表示特性取得手段をさらに有することを特徴とする、
請求項１から１１のいずれか一項に記載の電子機器。
【請求項１３】
表示用画像を取得する画像取得手段と、
前記表示用画像に基づく表示画像を表示する表示手段と、
前記表示用画像に基づく表示画像を表示する第１表示装置の第１表示特性に基づいて、前記表示用画像が前記第１表示装置に表示された第１表示画像の第１画像特性を特定し、前記第１表示装置と異なる第２表示装置の第２表示特性に基づいて、前記表示用画像が前記第２表示装置に表示された第２表示画像の第２画像特性を特定する特定手段と、
前記第１画像特性と前記第２画像特性との差に基づく通知情報を前記表示手段に出力する情報出力手段と、
を有することを特徴とする表示装置。
【請求項１４】
コンピュータが実行する、
表示用画像を取得するステップと、
前記表示用画像に基づく表示画像を表示する第１表示装置の第１表示特性に基づいて、前記表示用画像が前記第１表示装置に表示された第１表示画像の第１画像特性を特定するステップと、
前記第１表示装置と異なる第２表示装置の第２表示特性に基づいて、前記表示用画像が前記第２表示装置に表示された第２表示画像の第２画像特性を特定するステップと、
第１画像特性と第２画像特性との差に基づく通知情報を出力するステップと、
を有することを特徴とする情報出力方法。
【請求項１５】
前記第１画像特性を特定するステップにおいて、前記第１表示画像の各画素における前記第１画像特性を特定し、
前記第２画像特性を特定するステップにおいて、前記第２表示画像の各画素における前記第２画像特性を特定し、
前記通知情報を出力するステップにおいて、前記第１表示画像の複数の画素のいずれかの画素の前記第１画像特性と、前記第１表示画像の複数の画素のいずれかの画素に対応する前記第２表示画像の画素の前記第２画像特性との差が所定の閾値以上である場合に前記通知情報を出力することを特徴とする、
請求項１４に記載の情報出力方法。
【発明の詳細な説明】
【技術分野】
【０００１】
本発明は、画像に関する情報を出力する電子機器、表示装置、及び情報出力方法に関するものである。
【背景技術】
【０００２】
表示装置に表示された画像において、滑らかな階調表示領域に段差が見える現象である疑似輪郭が生じる場合があることが知られている。特許文献１には、表示画像の階調表示領域に疑似輪郭が生じるか否かを判定し、表示画像の疑似輪郭が生じる領域にノイズを重畳する事で、疑似輪郭を低減する画像処理装置が開示されている。
【先行技術文献】
【特許文献】
【０００３】
【特許文献１】特開平０９−２００５２３号公報
【発明の概要】
【発明が解決しようとする課題】
【０００４】
しかしながら、複数の表示装置の間で表示特性が異なる場合、同一の画像を表示したとしても、疑似輪郭が生じるか否かが変化する場合があった。そのため、従来の技術のように、一方の表示装置で表示する表示画像にノイズを重畳することにより疑似輪郭が生じないようにしても、他方の表示装置で表示する表示画像では疑似輪郭が生じてしまう場合があった。このような場合、ユーザが、一方の表示装置で表示された表示画像だけを確認しながら画像を作成すると、他方の表示装置には適していない画像であることを認識できない。その結果、画質調整が必要であるにもかかわらず、ユーザが、画質調整が必要であることを把握できず、他方の表示装置に適していない画像が作成されてしまうという問題があった。
【０００５】
そこで、本発明は上述した点に鑑みてなされたものであり、ユーザが、特性が異なる複数の表示装置間に画質の差が生じ得ることを把握できるようにすることを目的とする。
【課題を解決するための手段】
【０００６】
上記の課題を解決するために、本発明の電子機器は、表示用画像を取得する画像取得手段と、前記表示用画像に基づく表示画像を表示する第１表示装置の第１表示特性に基づいて、前記表示用画像が前記第１表示装置に表示された第１表示画像の第１画像特性を特定し、前記第１表示装置と異なる第２表示装置の第２表示特性に基づいて、前記表示用画像が前記第２表示装置に表示された第２表示画像の第２画像特性を特定する特定手段と、前記第１画像特性と前記第２画像特性との差に基づく通知情報を出力する情報出力手段と、を有することを特徴とする。
【０００７】
本発明の表示装置は、表示用画像を取得する画像取得手段と、前記表示用画像に基づく表示画像を表示する表示手段と、前記表示用画像に基づく表示画像を表示する第１表示装置の第１表示特性に基づいて、前記表示用画像が前記第１表示装置に表示された第１表示画像の第１画像特性を特定し、前記第１表示装置と異なる第２表示装置の第２表示特性に基づいて、前記表示用画像が前記第２表示装置に表示された第２表示画像の第２画像特性を特定する特定手段と、前記第１画像特性と前記第２画像特性との差に基づく通知情報を前記表示手段に出力する情報出力手段と、有することを特徴とする。
【０００８】
本発明の情報出力方法は、コンピュータが実行する、表示用画像を取得するステップと、前記表示用画像に基づく表示画像を表示する第１表示装置の第１表示特性に基づいて、前記表示用画像が前記第１表示装置に表示された第１表示画像の第１画像特性を特定するステップと、前記第１表示装置と異なる第２表示装置の第２表示特性に基づいて、前記表示用画像が前記第２表示装置に表示された第２表示画像の第２画像特性を特定するステップと、第１画像特性と第２画像特性との差に基づく通知情報を出力するステップと、を有することを特徴とする。
【発明の効果】
【０００９】
本発明によれば、ユーザが、特性が異なる複数の表示装置間に画質の差が生じ得ることを把握できるという効果を奏する。
【図面の簡単な説明】
【００１０】
【図１】第１の実施形態に係る表示システムＦの概要を示す図である。
【図２】第１の実施形態に係る第１表示装置１０の構成を示す図である。
【図３】視覚特性について説明するための図である。
【図４】情報出力部１１５が出力する通知情報について説明するための図である。
【図５】第２の実施形態に係る表示システムＦの概要を示す図である。
【図６】第２の実施形態に係る電子機器１２０の構成を示す図である。
【図７】第３の実施形態に係る第１表示装置１０の構成を示す図である。
【図８】視認距離について説明するための図である。
【図９】視認距離と視覚特性との関係について説明するための図である。
【発明を実施するための形態】
【００１１】
＜第１の実施形態＞
［表示システムＦの概要］
図１は、本実施形態に係る表示システムＦの概要を示す図である。表示システムＦは、カメラ１及び第１表示装置１０を備える。カメラ１は、例えばデジタルビデオカメラであり、撮影した画像を表示用画像として第１表示装置１０に出力する。第１表示装置１０は、カメラ１で撮影した画像を調整するためのモニタである。第１表示装置１０は、例えば最大輝度４００ｃｄ/ｍ２のスタンダードダイナミックレンジ（以下、ＳＤＲという）の液晶モニタを有する。
【００１２】
カメラ１において撮影された画像は、第１表示装置１０と異なる表示特性を有する第２表示装置２０に表示されることが想定されている。第２表示装置２０は、例えば、第１表示装置１０において画質が調整された画像を表示する表示用の液晶モニタであり、最大輝度１，０００ｃｄ/ｍ２のハイダイナミックレンジ（以下、ＨＤＲという）モニタである。
【００１３】
図１においては、第１表示装置１０とカメラ１とは、例えば、映像ケーブルで接続されている。第２表示装置２０は仮想の表示装置であり、カメラ１と第２表示装置２０とは、接続されていないことが想定されているが、第２表示装置２０がカメラ１に接続されていてもよい。ユーザ（例えば、撮影者）が、撮影した画像を第１表示装置１０に表示させて画質を調整する場合、ユーザは、表示用画像が第２表示装置２０に表示された表示画像を視認することができない。本実施形態に係る第１表示装置１０は、第１表示装置１０で調整した画像を第２表示装置２０で表示した場合に疑似輪郭等の問題が生じ得る場合にユーザに警告するための情報を表示する。このようにすることで、ユーザは、第１表示装置１０と第２表示装置２０との間の画質の差を把握できるので、第２表示装置２０においても適切に表示される画像を作成することが可能になる。
【００１４】
［第１表示装置１０の構成］
図２は、第１の実施形態に係る第１表示装置１０の構成を示す図である。第１表示装置１０は、画像取得部１１１、表示特性取得部１１２、視覚特性取得部１１３、特定部１１４、情報出力部１１５、表示部１１６、及び記憶部１１７を有する。
【００１５】
画像取得部１１１は、表示用画像を取得する。画像取得部１１１は、例えば、表示用画像を出力するカメラ１と接続される画像入力インターフェースを含む。画像取得部１１１は、静止画又は動画の画像データを表示用画像として取得する。画像取得部１１１は、取得した表示用画像を特定部１１４に送信する。
【００１６】
表示特性取得部１１２は、表示部１１６の第１表示特性と、表示部１１６と異なる第２表示装置２０の第２表示特性とを取得する。第１表示特性は、例えば、表示部１１６のガンマ特性又は最大輝度を含む、表示部１１６の表示性能を示す情報である。第１表示特性は、表示部１１６の解像度、応答速度、コントラスト比、又は画素ピッチを含んでもよい。第２表示特性は、例えば、第２表示装置２０のガンマ特性又は最大輝度を含む、第２表示装置２０の表示性能を示す情報である。第２表示特性は、第２表示装置２０の解像度、応答速度、コントラスト比又は画素ピッチを含んでもよい。
【００１７】
表示特性取得部１１２は、例えば、ユーザが、図示しない操作部を操作することで入力された第１表示特性及び第２表示特性を取得する。表示特性取得部１１２は、メモリカード又は通信回線を介して第１表示特性及び第２表示特性を取得してもよい。表示特性取得部１１２は、取得した第１表示特性及び第２表示特性を記憶部１１７に記憶させる。表示特性取得部１１２は、第１表示特性及び第２表示特性を特定部１１４に送信してもよい。
【００１８】
視覚特性取得部１１３は、輝度又は色度と、当該輝度又は色度において知覚可能な隣接する複数の画素間の輝度変化率又は色度変化率と、の関係を示す視覚特性を取得する。輝度変化率は、画像内の第１画素の第１輝度に対する、第１画素の第１輝度と第１画素に隣接する第２画素の第２輝度との差の比率である。すなわち、輝度変化率は、第１画素の第１輝度と、第１画素に隣接する第２画素の第２輝度との間の輝度差を、第１輝度で除算することにより得られる。色度変化率は、第１画素の輝度に対する、第１画素の輝度と第１画素に隣接する第２画素の輝度との差の比率である。以下の説明においては、視覚特性が輝度と輝度変化率との関係である場合の処理を例示するが、視覚特性が色度と色度変化率との関係がある場合にも同様の処理を適用できる。
【００１９】
視覚特性取得部１１３は、例えば、操作部、メモリカード又は通信回線を介して視覚特性を取得する。視覚特性取得部１１３は、取得した視覚特性を記憶部１１７に記憶させる。視覚特性取得部１１３は、視覚特性を特定部１１４に送信してもよい。
【００２０】
特定部１１４は、例えばＣＰＵ（Central Processing Unit）を含み、その他の各動作ブロックと接続されている。特定部１１４は、記憶部１１７に記憶されたプログラムを実行することにより、第１表示特性に基づいて、表示用画像が表示部１１６に表示された第１表示画像の第１画像特性を特定する。また、特定部１１４は、第２表示特性に基づいて、表示用画像が第２表示装置２０に表示された第２表示画像の第２画像特性を特定する。第１画像特性は、例えば、第１表示画像内の隣接する画素間の輝度変化率と、視覚特性が示す知覚可能な輝度変化率との関係を示す特性である。第２画像特性は、例えば、第２表示画像内の隣接する画素間の輝度変化率と、視覚特性が示す知覚可能な輝度変化率との関係を示す特性である。特定部１１４の動作の詳細については後述する。
【００２１】
情報出力部１１５は、第１画像特性と第２画像特性との差に基づく通知情報を表示部１１６に出力する情報出力手段である。情報出力部１１５は、例えば、表示部１１６に通知情報を出力する。情報出力部１１５が出力する通知情報の態様は任意である。情報出力部１１５は、例えば、表示部１１６に表示する画像の態様を変化させることにより通知情報を出力する。情報出力部１１５は、テキスト形式で通知情報を出力してもよく、通知情報を含む音を出力してもよい。
【００２２】
表示部１１６は、画像取得部１１１が取得した表示用画像に基づく表示画像を表示する表示手段であり、情報出力部１１５が出力した通知情報を表示する。表示部１１６は、例えば、最大輝度４００ｃｄ/ｍ２のＳＤＲの液晶パネルである。
【００２３】
記憶部１１７は、ＲＯＭ（Read Only Memory）、ＲＡＭ（Random Access Memory）及びハードディスクなどの記憶媒体を含む記憶手段である。記憶部１１７は、例えば、第１表示特性、第２表示特性、第１画像特性、第２画像特性、及び視覚特性を記憶する。また、記憶部１１７は、特定部１１４が実行するプログラム、映像データ及び画像データなどの各種のデータを記憶する。
【００２４】
［視覚特性］
図３は、視覚特性について説明するための図である。図３（ａ）は、第１表示装置１０及び第２表示装置２０に入力される表示用画像の一例としての画像２００を示している。それぞれ階調が異なる３種類のグレースケール画像（左側画像、中央画像、右側画像）を含む。画像２００の左側画像の輝度と中央画像の輝度との輝度差、及び中央画像の輝度と右側画像の輝度との輝度差は、同じくｄ０である。図３（ｂ）は、画像２００を第１表示装置１０及び第２表示装置２０のそれぞれに表示させた際に視認される表示画像２０１及び表示画像２０２を示している。
【００２５】
表示画像２０１においては、画像２００における左側画像の表示輝度ｙ１に対して、中央画像の表示輝度がｄ１だけ変化している。これに対して、表示画像２０２においては、画像２００における左側画像の表示輝度ｙ２に対して、中央画像の表示輝度がｄ２だけ変化している。このように、第１表示装置１０の第１表示特性と第２表示装置２０の第２表示特性とが異なることにより、同一の表示用画像が表示されたとしても、ユーザは、異なる表示画像を視認することになる。
【００２６】
図３（ｃ）は、表示された画像における隣接画像間の輝度変化率と視覚特性５００との関係を示す図である。表示される画像における隣接画素間の輝度変化率が、図３（ｃ）に示す視覚特性５００の曲線が示す輝度変化率よりも大きい場合、ユーザは、輝度が変化したことを知覚できる。表示される画像における隣接画素間の輝度変化率が、図３（ｃ）に示す視覚特性５００の曲線が示す輝度変化率よりも小さい場合、ユーザは、輝度が変化したことを知覚できない。
【００２７】
なお、視覚特性５００は、人の視感度特性として、輝度に応じて輝度差を検知できる輝度変化率を示す特性であって、例えば、一般に良く知られたDICOM曲線やバートンランプの視覚特性によって得られる。視覚特性５００は、log関数などによって近似された特性であってもよい。
【００２８】
図３（ｃ）によれば、第１表示装置１０に表示される表示画像２０１における輝度変化率（ｄ１／ｙ１）は、視覚特性５００が示す輝度変化率よりも小さいので、ユーザは、表示画像２０１における輝度の変化を知覚できない。これに対して、第２表示装置２０に表示される表示画像２０２における輝度変化率（ｄ２／ｙ２）は、視覚特性５００が示す輝度変化率よりも大きいので、ユーザは、表示画像２０２における輝度の変化を知覚できる。したがって、ユーザが、第１表示装置１０を用いて表示用画像を調整する際には輝度の変化を知覚できないにもかかわらず、調整後の表示用画像を第２表示装置２０に表示させると、輝度の変化を知覚できてしまう。そこで、本実施の形態に係る第１表示装置１０は、このように、第１表示装置１０に表示された表示画像の第１画像特性と、第２表示装置２０に表示された表示画像の第２画像特性との差に基づく通知情報を出力することで、ユーザが、表示用画像の調整が必要であるか否かを認識できるようにする。
【００２９】
［画像特性を特定する方法］
特定部１１４が、第１画像特性及び第２画像特性を特定する方法について説明する。本実施形態では、特定部１１４は、第１表示画像に含まれる画素における輝度変化率と、視覚特性における当該画素の輝度に対応する輝度変化率との関係を示す第１画像特性を特定する。具体的には、特定部１１４は、第１表示画像に含まれる画素における輝度変化率が、図３に示した視覚特性５００の曲線の上の領域に含まれているか、下の領域に含まれているかを示す第１画像特性を特定する。また、特定部１１４は、第２表示画像に含まれる画素における輝度変化率と、視覚特性における当該画素の輝度に対応する輝度変化率との関係を示す第２画像特性を特定する。具体的には、特定部１１４は、第２表示画像に含まれる画素における輝度変化率が、図３に示した視覚特性５００の曲線の上の領域に含まれているか、下の領域に含まれているかを示す第２画像特性を特定する。
【００３０】
まず、画像取得部１１１が、図３（ａ）に示す画像２００を表示用画像として取得し、取得した表示用画像を特定部１１４に送信する。特定部１１４は、表示用画像の輝度値Ｙを特定する。特定部１１４は、表示用画像を縦方向にｍ行、横方向にｎ列に分割したｍ×ｎ個の画素Ｐｉｊ（ｉ≦ｍ、ｊ≦ｎ）のそれぞれの輝度値輝度値Ｙｉｊを特定する。特定部１１４は、下記の式（１）を用いて、表示用画像の輝度値Ｙを特定する。
【数１】
2018059999.tif 000003
ここで、Ｒ、Ｇ、Ｂは、それぞれｍ行ｎ列の行列であり、α、β、γは、Ｒ、Ｇ、Ｂそれぞれを輝度値Ｙに変換する際の輝度換算係数である。
【００３１】
次に、表示特性取得部１１２が、記憶部１１７から、第１表示特性としての表示部１１６の第１ガンマ特性Ｇ１及び第１最大輝度Ｋ１を取得する。
特定部１１４は、表示用画像の輝度値Ｙと、第１ガンマ特性Ｇ１と、第１最大輝度Ｋ１と、に基づいて、表示用画像が表示部１１６に表示された第１表示画像の輝度値を示す光学信号Ｃ１を特定する。Ｃ１は、ｍ行ｎ列の行列であり、その成分を画素Ｐｉｊにおける光学信号値としてＣ１ｉｊと表す。特定部１１４は、輝度値Ｙｉｊの理論上の最大値をＹmaxとし、下記の式（２）を用いて、Ｃ１ｉｊを特定する。
【数２】
2018059999.tif 000004
【００３２】
続いて、表示特性取得部１１２が、記憶部１１７から、第２表示特性としての第２表示装置２０の第２ガンマ特性Ｇ２及び第２最大輝度Ｋ２を取得する。表示特性取得部１１２は、取得した第２表示特性を特定部１１４に送信する。
【００３３】
特定部１１４は、表示用画像の輝度値Ｙと、第２ガンマ特性Ｇ２と、第２最大輝度Ｋ２と、に基づいて、表示用画像が第２表示装置２０に表示された第２表示画像の輝度値を示す光学信号Ｃ２を特定する。Ｃ２は、ｍ行ｎ列の行列であり、その成分を画素Ｐｉｊにおける光学信号値としてＣ２ｉｊと表す。特定部１１４は、輝度値Ｙｉｊの理論上の最大値をＹmaxとし、下記の式（３）を用いて、Ｃ２ｉｊを特定する。
【数３】
2018059999.tif 000005
【００３４】
特定部１１４は、第１表示画像における基準となる画素Ｐｉｊの光学信号値をＣ１ｉｊとし、画素Ｐｉｊに隣接する画素Ｐｋｌの光学信号値をＣ１ｋｌとして、画素Ｐｉｊにおける輝度変化率Ｄ１を下記の式（４）を用いて特定する。光学信号Ｃ１における輝度変化率Ｄ１は、Ｄ１ｉｊｋｌで表示される４次元配列である。ここで、ｋ＝ｉ−１、ｉ、ｉ＋１、ｌ＝ｊ−１、ｊ、ｊ＋１である。輝度変化率Ｄ１ｉｊｋｌは、（ｉ、ｊ）＝（ｋ、ｌ）の場合は０となる。また、輝度変化率Ｄ１ｉｊｋｌは、その絶対値が大きいほど、隣接する画素との輝度値が異なるということを示す。
【数４】
2018059999.tif 000006
【００３５】
同様に、特定部１１４は、第２表示画像における基準となる画素Ｐｉｊの光学信号値をＣ２ｉｊとし、画素Ｐｉｊに隣接する画素Ｐｋｌの光学信号値をＣ２ｋｌとして、画素Ｐｉｊにおける輝度変化率Ｄ２を下記の式（５）を用いて特定する。光学信号Ｃ２における輝度変化率Ｄ２は、Ｄ２ｉｊｋｌで表示される４次元配列である。輝度変化率Ｄ２ｉｊｋｌは、（ｉ、ｊ）＝（ｋ、ｌ）の場合は０となる。また、輝度変化率Ｄ２ｉｊｋｌは、その絶対値が大きいほど、隣接する画素との輝度値が異なるということを示す。
【数５】
2018059999.tif 000007
【００３６】
続いて、特定部１１４は、記憶部１１７から、各輝度において知覚可能な隣接する複数の画素間の輝度変化率を示す視覚特性のデータテーブルＴを取得する。特定部１１４は、データテーブルＴに基づいて、画素Ｐｉｊの輝度において知覚可能な輝度変化率である視覚特性データＴ（Ｃ１ｉｊ）を特定する。次に、特定部１１４は、輝度変化率Ｄ１ｉｊｋｌと、視覚特性データＴ（Ｃ１ｉｊ）との差である第１画像特性値Ｓ１ｉｊｋｌを下記の式（６）を用いて特定する。
【数６】
2018059999.tif 000008
【００３７】
同様に、特定部１１４は、データテーブルＴに基づいて、光学信号値Ｃ２ｉｊに対応する輝度において、画素Ｐｉｊの輝度において知覚可能な輝度変化率である視覚特性データＴ（Ｃ２ｉｊ）を特定する。次に、特定部１１４は、輝度変化率Ｄ２ｉｊｋｌと、視覚特性データＴ（Ｃ２ｉｊ）との差である第２画像特性値Ｓ２ｉｊｋｌを下記の式（７）を用いて特定する。
【数７】
2018059999.tif 000009
【００３８】
ここで、例えば、画像特性値Ｓｉｊｋｌ＞０ならば、対応する画素Ｐｉｊと隣接する画素Ｐｋｌとの輝度差が、人が知覚できる輝度差であり、疑似輪郭が生じる。一方、画像特性値Ｓｉｊｋｌ≦０ならば、対応する画素Ｐｉｊと隣接する画素Ｐｋｌとの輝度差が、人が知覚できない輝度差であり、疑似輪郭が生じない。
【００３９】
特定部１１４は、画素Ｐｉｊと隣接する画素Ｐｋｌとの間の輝度変化率Ｄｉｊｋｌに対応する装置間変化量がＷｉｊｋｌである場合、式（８）〜（１１）のいずれかにより装置間変化量Ｗｉｊｋｌを特定する。
【数８】
2018059999.tif 000010
装置間変化量Ｗが０または負である場合、表示部１１６と第２表示装置２０との間で画像特性値に変化がない。装置間変化量Ｗが正である場合、表示部１１６と第２表示装置２０との間で画像特性値に変化がある。
【００４０】
続いて、特定部１１４は、第１表示画像及び第２表示画像に含まれる一つの画素に隣接する複数の画素に対応する複数の第１画像特性と複数の第２画像特性との複数の差として、複数の装置間変化量Ｗｉｊｋｌを特定する。そして、特定部１１４は、特定した複数の装置間変化量Ｗｉｊｋｌに基づいて知覚特性値Ｕｉｊを特定する。具体的には、特定部１１４は、画素Ｐｉｊに隣接する８つの画素ｋｌに対する装置間変化量Ｗｉｊｋｌに基づいて、ユーザが疑似輪郭を知覚可能で否かを判定するための知覚特性値Ｕｉｊを特定する。
【００４１】
特定部１１４は、例えば、０以下のＷｉｊｋｌの数を閾値Ｖｔｈと比較した結果に基づいて知覚特性値Ｕｉｊを決定する。特定部１１４は、０以下のＷｉｊｋｌの数が閾値Ｖｔｈ以上である場合、画素Ｐｉｊにおける輝度の変化に基づく疑似輪郭が知覚可能でないと判定して、知覚特性値Ｕｉｊを０とする。特定部１１４は、０以下のＷｉｊｋｌの数が閾値Ｖｔｈ未満である場合、画素Ｐｉｊにおける輝度の変化に基づく疑似輪郭が知覚可能であると判定して、知覚特性値Ｕｉｊを１とする。閾値Ｖｔｈは、主観評価により決定された値であってもよく、ユーザにより設定された値であってもよい。
【００４２】
情報出力部１１５は、第１画像特性値Ｓ１と第２画像特性値Ｓ２との差分である装置間変化量Ｗｉｊｋｌに基づいて、疑似輪郭が生じ得ることを示す通知情報を表示部１１６に表示させる。情報出力部１１５は、例えば、複数の隣接画素に対応する第１画像特性値Ｓ１と複数の隣接画素に対応する第２画像特性値Ｓ２との複数の差分である複数の装置間変化量Ｗｉｊｋｌに基づいて特定した知覚特性値Ｕｉｊに基づく通知情報を出力する。具体的には、情報出力部１１５は、少なくとも一つの画素Ｐｉｊに対応する知覚特性値Ｕｉｊが１である場合に、疑似輪郭が発生することを警告するための通知情報を表示部１１６に表示させる。情報出力部１１５は、全ての画素Ｐｉｊに対応する知覚特性値Ｕｉｊが０である場合、警告するための通知情報を表示部１１６に表示させない。
【００４３】
情報出力部１１５は、知覚特性値Ｕｉｊが１である場合に通知情報を出力する代わりに、第１画像特性値Ｓ１と第２画像特性値Ｓ２との差が、所定の閾値以上である場合に通知情報を出力してもよい。このようにすることで、情報出力部１１５は、第１表示画像と第２表示画像との間での変化が大きい場合に、ユーザが、疑似輪郭が発生する可能性が高いことを認識しやすくなる。
【００４４】
情報出力部１１５は、表示用画像に通知情報を重畳した画像を第１表示装置１０及び第２表示装置２０の少なくともいずれかに表示させる。情報出力部１１５は、例えば、画像取得部１１１が取得した表示用画像に、知覚特性値Ｕに基づく通知情報を重畳した画像を表示部１１６に表示させる。
【００４５】
図４は、情報出力部１１５が出力する通知情報について説明するための図である。図４（ａ）の画像２０３は、それぞれ階調が異なる３種類のグレースケール画像（左側画像、中央画像、右側画像）を含む。左側画像と中央画像との間の階調変化量ｄ３と、中央画像と右側画像との間の階調変化量ｄ４とは異なっている。図４（ａ）の一点鎖線は、表示部１１６では知覚可能な疑似輪郭が生じないにもかかわらず、第２表示装置２０では知覚可能な疑似輪郭が生じる知覚特性値Ｕが１となる画素の位置を示している。
【００４６】
図４（ｂ）は、情報出力部１１５が、画像２０３において知覚特性値Ｕが１となる画素に網掛け画像を重畳して表示部１１６に表示させている例を示している。このように、情報出力部１１５が、第１画像特性と第２画像特性との差に基づいて、知覚特性が変化する画素を強調表示することで、第１表示装置１０を使用しているユーザが、第２表示装置２０で疑似輪郭が生じ得ることを容易に把握できる。
【００４７】
図４（ｃ）は、情報出力部１１５が、画像２０３において知覚特性値Ｕが１となる画素に、装置間変化量Ｗの値に応じて網掛け画像の明度を変更した網掛け画像を重畳して表示部１１６に表示させている例を示している。図４（ｃ）においては、中央画像と右側画像との間の装置間変化量Ｗが、中央画像と左側画像との間の装置間変化量Ｗよりも大きいことが想定されている。この場合、情報出力部１１５は、中央画像と右側画像との間の領域に、中央画像と左側画像との間の領域よりも大きな明度の網掛け画像を重畳する。このようにすることで、第１表示装置１０を使用しているユーザが、第１表示装置１０に表示される画像と第２表示装置２０に表示される画像との間の差の大きさを把握することが可能になる。
【００４８】
図４（ｄ）は、情報出力部１１５が、知覚特性値Ｕが１である画素における輝度（すなわち階調値）の発生度数を示す度数分布図を表示部１１６に表示させている例を示す。このようにすることで、ユーザは、どの輝度で疑似輪郭が生じやすいかを把握できるので、画像を調整しやすくなる。
なお、図４（ｂ）及び（ｃ）において、情報出力部１１５は、知覚特性値Ｕが１となる画素の位置に網掛け画像を重畳する例を示したが、画像２０３において知覚特性値Ｕが１となる画素の色を変えてもよい。また、情報出力部１１５は、装置間変化量Ｗの値に応じた色を用いてもよい。
【００４９】
［変形例１］
以上の説明においては、情報出力部１１５が、第１画像特性と第２画像特性との差として、第１画像特性値Ｓ１と第２画像特性値Ｓ２との差分である装置間変化量Ｗを用いたが、第１画像特性と第２画像特性との差は、これに限らない。情報出力部１１５は、第１表示画像の少なくとも一つの画素における隣接画素との間での輝度差を第１画像特性とし、第２表示画像の対応する画素における隣接画素との間での輝度差を第２画像特性としてもよい。そして、情報出力部１１５は、第１表示画像の少なくとも一つの画素における隣接画素との間での輝度差と、第２表示画像の対応する画素における隣接画素との間での輝度差との差分値が所定の閾値以上である場合に、通知情報を出力してもよい。
【００５０】
情報出力部１１５は、第１表示画像の少なくとも一つの画素における隣接画素との間での輝度変化率を第１画像特性とし、第２表示画像の対応する画素における隣接画素との間での輝度変化率を第２画像特性としてもよい。そして、情報出力部１１５は、第１表示画像の少なくとも一つの画素における隣接画素との間での輝度変化率と、第２表示画像の対応する画素における隣接画素との間での輝度変化率との差分値が所定の閾値以上である場合に、通知情報を出力してもよい。
【００５１】
［変形例２］
上記の説明においては、画像調整用の第１表示装置１０がＳＤＲの液晶モニタを有し、最終表示用の第２表示装置２０がＨＤＲの液晶モニタを有するとしたが、第１表示装置１０と第２表示装置２０とは、表示可能な輝度以外の表示特性が異なってもよい。例えば、第１表示装置１０の解像度と第２表示装置２０の解像度とが異なってもよい。また、第１表示装置１０が液晶モニタであり、第２表示装置２０が有機ＥＬモニタである場合のように、第１表示装置１０と第２表示装置２０とが異なる種類のモニタであってもよい。
【００５２】
［第１表示装置１０による効果］
以上説明したように、第１表示装置１０においては、情報出力部１１５が、特定部１１４が特定した第１画像特性と第２画像特性との差に基づいて、表示部１１６に通知情報を出力する。第１表示装置１０がこのような構成を有することで、ユーザは、第１表示装置１０と第２表示装置２０との間で画質に変化が生じて疑似輪郭が発生する可能性があることを容易に把握することが可能になる。したがって、第１表示装置１０を用いて表示用画像の画質を調整し、調整後の表示用画像を第２表示装置２０に出力する場合に好適である。
【００５３】
＜第２の実施形態＞
第１の実施形態では、第１表示装置１０が、第２表示装置２０に疑似輪郭が生じる可能性があることを特定した。これに対して、第２の実施形態は、第１表示装置１０及び第２表示装置２０と異なる電子機器において、第２表示装置２０に疑似輪郭が生じる可能性があることを特定するという点で、第１の実施形態と異なる。以下、第１実施形態と異なる部分について説明を行い、第１実施形態と同じ部分については適宜説明を省略する。
【００５４】
図５は、第２の実施形態に係る表示システムＦの概要を示す図である。表示システムＦは、電子機器１２０、第１表示装置３０及び第２表示装置４０を備える。電子機器１２０は、例えばパーソナルコンピュータ、スマートフォン、タブレットなどのコンピュータである。第１表示装置３０は、例えば映像信号の輝度やガンマ補正などの調整を行う調整用の液晶モニタであり、最大輝度４００ｃｄ/ｍ２のＳＤＲの液晶パネルを有する。第１表示装置３０において調整された画像は、第２表示装置４０に表示されることが想定されている。第２表示装置４０は、例えば最終的に画像を表示する表示用の液晶モニタであり、最大輝度１，０００ｃｄ/ｍ２のＨＤＲモニタである。
【００５５】
図５においては、電子機器１２０と第１表示装置３０とが、例えば、映像ケーブルで接続されている。第２表示装置４０は仮想の表示装置であり、電子機器１２０と第２表示装置４０とは接続されていないことが想定されている。ユーザ（例えば、映像編集者）が、表示用画像を第１表示装置３０に表示させて画像を調整する場合、ユーザは、表示用画像を第２表示装置４０に表示した表示画像を視認することができない。なお、第２表示装置４０は、電子機器１２０に接続されていてもよい。
【００５６】
図６は、電子機器１２０の構成を示す図である。電子機器１２０は、画像取得部１２１、表示特性取得部１２２、視覚特性取得部１２３、特定部１２４、情報出力部１２５及び記憶部１２７を有する。なお、第１の実施形態で説明した動作ブロックと同名の動作ブロックは、それぞれ同一の機能を有する。
【００５７】
表示特性取得部１２２は、画像を表示する第１表示装置３０の第１表示特性と、第１表示装置３０と異なる第２表示装置４０の第２表示特性とを取得する。表示特性取得部１２２は、第１表示特性として、第１表示装置３０の第１最大輝度及び第１ガンマ特性を取得する。同様に、表示特性取得部１２２は、第２表示特性として、第２表示装置４０の第２最大輝度及び第２ガンマ特性を取得する。表示特性取得部１２２は、取得した第１表示特性及び第２表示特性を特定部１２４に送信する。
【００５８】
特定部１２４は、例えばＣＰＵを含み、記憶部１２７に記憶されたプログラムを実行することにより、第１表示特性に基づいて、表示用画像が第１表示装置３０に表示された第１表示画像の第１画像特性を特定する。また、特定部１２４は、第２表示特性に基づいて、表示用画像が第２表示装置４０に表示された第２表示画像の第２画像特性を特定する。特定部１２４は、例えば、第１の実施形態と同様に、第１画像特性値Ｓ１及び第２画像特性値Ｓ２を特定し、第１画像特性値Ｓ１と第２画像特性値Ｓ２との差である装置間変化量Ｗを特定する。情報出力部１２５は、第１画像特性と第２画像特性との差に基づく通知情報を第１表示装置３０に出力する。
【００５９】
［第２の実施形態の電子機器１２０による効果］
以上説明した通り、第２の実施形態においては、電子機器１２０の特定部１２４が、第１画像特性と第２画像特性を特定する。情報出力部１２５は、第１画像特性と第２画像特性との差に基づく通知情報を第１表示装置３０に出力する。このようにすることで、第１表示装置３０を用いて画像の画質を調整するユーザは、複数の表示装置間での表示画像の画質の差を把握できる。したがって、画質の調整に用いる第１表示装置３０と、調整後の画像を表示する第２表示装置４０との間で表示特性に差がある場合であっても、ユーザが、第２表示装置４０に適した画質に調整しやすくなる。
【００６０】
＜第３の実施形態＞
第１の実施形態では、ユーザが表示装置を視認する際のユーザと表示装置との間の距離である視認距離が考慮されていなかった。しかし、実際には、ユーザが第１表示装置１０を視認する際の視認距離と、第２表示装置２０を視認する際の視認距離とが異なる場合が考えられる。視認距離が変化すると、視角に対する空間分解能が変化し、空間分解能が変化すると、視覚特性が変化する。第３の実施形態では、第１表示装置１０と第２表示装置２０との間で、視認距離が異なる場合に適した構成について説明する。以下、第１の実施形態と異なる部分について説明を行い、第１の実施形態と同じ部分については適宜説明を省略する。
【００６１】
図７は、第３の実施形態に係る第１表示装置１０の構成を示す図である。図７に示す第１表示装置１０は、距離取得部１１８を有する点で、図２に示した第１の実施形態の第１表示装置１０と異なり、他の点で同じである。距離取得部１１８は、第１表示装置１０を視認するユーザと第１表示装置１０との距離Ｌａ、及び第２表示装置２０を視認するユーザと第２表示装置２０との距離Ｌｂの少なくともいずれかを取得する距離取得手段である。距離取得部１１８は、例えば、ユーザにより入力された距離Ｌａ及び距離Ｌｂを取得する。
【００６２】
図８は、視認距離について説明するための図である。図８（ａ）は、ユーザＨが、距離Ｌａだけ離れて第１表示装置１０を視認することを示す。図８（ｂ）は、ユーザＨが、距離Ｌｂだけ離れて第２表示装置２０を視認することを示す。なお、ここでは、Ｌａ＜Ｌｂとする。
【００６３】
図９は、視認距離と視覚特性との関係について説明するための図である。図９の視覚特性５００は、ユーザが距離Ｌａだけ離れて第１表示装置１０を視認した場合の視覚特性を表している。また、図９の視覚特性５０１は、ユーザが距離Ｌｂだけ離れて第２表示装置２０を視認した場合の視覚特性を表している。
【００６４】
特定部１２４は、距離取得部１１８が取得した距離Ｌａにおける視覚特性と第１表示特性とに基づいて第１画像特性を特定する。また、特定部１２４は、距離取得部１１８が取得した距離Ｌｂにおける視覚特性と第２表示特性とに基づいて第２画像特性を特定する。特定部１２４が画像特性を特定する具体的な方法については、第１の実施形態と同様であるので省略する。このようにすることで、特定部１２４は、距離に応じた第２画像特性を特定することができ、情報出力部１２５は、視認距離に応じた視覚特性の変化を通知情報として出力することができる。
【００６５】
［第３の実施形態の第１表示装置１０による効果］
以上説明したように、第３の実施形態においては、第１表示装置１０の特定部１１４が、第２表示装置２０の第２表示特性と、第２表示装置２０を視認するユーザＨと第２表示装置２０との距離Ｌｂに応じた視覚特性に基づいて第２画像特性を特定する。このようにすることで、ユーザは、距離に応じた画質の差を把握することができるので、視認される距離に応じて適切な画像に調整することができる。
【００６６】
＜第４の実施形態＞
第４の実施形態では、表示用画像とともに表示装置の表示特性が送信されるという点で、上記の各実施形態と異なる。例えば、図１に示したカメラ１が、最終的に画像を表示する表示用の液晶モニタの表示特性を記憶している場合について説明する。
【００６７】
カメラ１は、撮影した画像とともに、第２表示装置２０の第２表示特性を示すタグ情報を送信する。タグ情報には、第２表示装置２０の最大輝度及びガンマ特性を示す情報が含まれている。
第１表示装置１０の画像取得部１１１は、カメラ１が送信した表示用画像とともにタグ情報を取得し、取得したタグ情報を特定部１２４に送信する。特定部１２４は、表示用画像と、タグ情報が示す第２表示特性に基づいて第２画像特性を特定する。
【００６８】
このようにすることで、ユーザは、第１表示装置１０において第２表示装置２０の表示特性を設定する必要がないので、誤操作により、誤った第２表示特性が設定されることを防止できる。その結果、ユーザが、第２表示装置２０の正しい第２表示特性に基づいて、適切に画質を調整できるようになる。
【００６９】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【００７０】
１０  第１表示装置
１１１  画像取得部
１１４  特定部
１１５  情報出力部
【図１】
2018059999.tif 000011
【図２】
2018059999.tif 000012
【図３】
2018059999.tif 000013
【図４】
2018059999.tif 000014
【図５】
2018059999.tif 000015
【図６】
2018059999.tif 000016
【図７】
2018059999.tif 000017
【図８】
2018059999.tif 000018
【図９】
2018059999.tif 000019